【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
集団内における疾病進行をモデル化するためのシステムであって、
（ａ）前記疾病および／または前記集団に関連する静的データを含む静的データベース構成要素と、
（ｂ）前記集団および個々の対象に関する動的データを含む動的データベース構成要素と、
（ｃ）前記静的データベース構成要素および前記動的データベース構成要素中の前記データをモデル化し、それにより前記集団内における前記疾病をモデル化するするように構成されたコンピュータモデル化構成要素と、
を含む、システム。
【請求項２】
前記静的データベース構成要素は、前記疾病に関する情報を含む、請求項１に記載のシステム。
【請求項３】
前記疾病に関する前記情報は、病原性、伝染性、感染形態、治療有効性、ワクチン有効性、死亡率、回復期間、治療コスト、感染性、感染速度、突然変異率、および過去の大発生のうち１つ以上を含む、請求項２に記載のシステム。
【請求項４】
前記動的データベース構成要素中のデータは、前記集団中の個人の病態の表示を含む、請求項１に記載のシステム。
【請求項５】
個人の病態の表示は、バイオマーカー、生理学的パラメータまたはこれらの組み合わせの測定によって決定される、請求項４に記載のシステム。
【請求項６】
前記バイオマーカーまたは生理学的パラメータは、ポイントオブケア機器を用いて決定される、請求項５に記載のシステム。
【請求項７】
前記ポイントオブケア機器は、カートリッジアッセイ、リアルタイムＰＣＲ、迅速抗原検査、ウイルス培養および免疫アッセイのうち１つ以上を行う、請求項６に記載のシステム。
【請求項８】
前記ポイントオブケア機器はポータブルカートリッジを含む、請求項６に記載のシステム。
【請求項９】
前記カートリッジは、バイオマーカーを測定するための試薬を受容するように構成される、請求項８に記載のシステム。
【請求項１０】
前記カートリッジは、前記コンピュータモデル化構成要素から通信されたプロトコルに基づいて前記バイオマーカーを測定するように構成される、請求項８に記載のシステム。
【請求項１１】
前記カートリッジは、複数の体液サンプルからの１組のバイオマーカーを測定するように構成される、請求項６に記載のシステム。
【請求項１２】
前記ポイントオブケア機器は、データを入力するように構成されたグラフィカルユーザインターフェースを含む、請求項６に記載のシステム。
【請求項１３】
前記ポイントオブケア機器は、前記バイオマーカーまたは生理学的パラメータ測定結果を前記コンピュータモデル化構成要素へと通信するように構成される、請求項６に記載のシステム。
【請求項１４】
前記通信は、無線通信、有線通信、またはこれらの組み合わせである、請求項１３に記載のシステム。
【請求項１５】
前記通信は、セキュアなインターネット通信を含む、請求項１３に記載のシステム。
【請求項１６】
前記ポイントオブケア機器は、前記コンピュータモデル化構成要素との双方向通信を行うように構成される、請求項６に記載のシステム。
【請求項１７】
前記ポイントオブケア機器は、前記コンピュータモデル化構成要素によって決定された命令に従って配備される、請求項６に記載のシステム。
【請求項１８】
更新された動的データが利用可能となった場合、前記モデル化結果がリアルタイムで更新される、請求項１に記載のシステム。
【請求項１９】
前記コンピュータモデル化構成要素は、前記モデル化結果に基づいて１つ以上の行動指針を予測するように構成される、請求項１に記載のシステム。
【請求項２０】
前記１つ以上の行動指針は、ランク付けパラメータに従ってランク付けされる、請求項１９に記載のシステム。
【請求項２１】
前記ランク付けパラメータは、経済的理由、影響を受ける個人の数、質調整生存年（ＱＡＬＹ）および／または経済的損失単位あたりの質調整生存年（ＱＡＬＹ）を含む、請求項２０に記載のシステム。
【請求項２２】
前記１つ以上の行動指針は、病害拡大を抑制するための戦略を含む、請求項１９に記載のシステム。
【請求項２３】
前記病害拡大を抑制するための戦略は、的を絞った予防、一括予防、的を絞った抗生予防、一括抗生予防、的を絞った抗ウイルス予防、一括抗ウイルス予防、的を絞ったワクチン接種、および一括ワクチン接種のうち１つ以上を含む、請求項２２に記載のシステム。
【請求項２４】
前記コンピュータモデル化構成要素は、前記モデル化結果に基づいて監視戦略を推定するように構成される、請求項１に記載のシステム。
【請求項２５】
疾病に罹患した個人が検出された際、前記監視戦略が更新される、請求項２４に記載のシステム。
【請求項２６】
前記更新された戦略は、前記疾病に罹患した個人を含む世帯を検査すること、前記疾病に罹患した個人を含む学校を検査すること、および前記疾病に罹患した個人を含む職場を検査することのうち１つ以上を含む、請求項２５に記載のシステム。
【請求項２７】
集団内におけるインフルエンザの流行を抑制するシステムであって、
（ａ）前記インフルエンザおよび／または前記集団に関連する静的データを含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内の前記インフルエンザの発生をモデル化するように構成されたコンピュータモデル化構成要素と、
を含む、システム。
【請求項２８】
集団内におけるヒト免疫不全ウイルス（ＨＩＶ）の流行を抑制するためのシステムであって、
（ａ）前記ＨＩＶおよび／または前記集団に関連する静的データを含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内における前記ＨＩＶの発生をモデル化するように構成されたコンピュータモデル化構成要素と、
を含む、システム。
【請求項２９】
集団内における肝炎の流行を抑制するためのシステムであって、
（ａ）前記肝炎および／または前記集団に関連する静的データを含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内における前記肝炎の発生をモデル化するように構成されたコンピュータモデル化構成要素と、
を含む、システム。
【請求項３０】
集団内における糖尿病の拡散を抑制するためのシステムであって、
（ａ）前記糖尿病に関連する静的データおよび／または前記集団を含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内における前記糖尿病の発生をモデル化するように構成されたコンピュータモデル化構成要素と、
を含む、システム。
【手続補正２】
【補正対象書類名】明細書
【補正対象項目名】００３２
【補正方法】変更
【補正の内容】
【００３２】
態様において、本発明は、集団内における糖尿病の拡散を制御するためのシステムを提供する。前記システムは、前記糖尿病に関連する静的データおよび／または前記集団を含む静的データベース構成要素と、前記集団に関する動的データを含む動的データベース構成要素と、前記静的データベース構成要素および前記動的データベース構成要素中の前記データをモデル化することで、前記集団内における前記糖尿病の発生をモデル化するように構成されたコンピュータモデル化構成要素とを含む。
本願明細書は、例えば、以下の項目も提供する。
（項目１）
集団内における疾病進行をモデル化するためのシステムであって、
（ａ）前記疾病および／または前記集団に関連する静的データを含む静的データベース構成要素と、
（ｂ）前記集団および個々の対象に関する動的データを含む動的データベース構成要素と、
（ｃ）前記静的データベース構成要素および前記動的データベース構成要素中の前記データをモデル化し、それにより前記集団内における前記疾病をモデル化するするように構成されたコンピュータモデル化構成要素と、
を含む、システム。
（項目２）
前記疾病は、伝染病または慢性疾病である、項目１に記載のシステム。
（項目３）
前記病原体またはその分析物は、アデノウイルス、百日咳、クラミジア肺炎、クラミジアトラコマチス、コレラ毒素、コレラ毒素β、カンピロバクタージェジュニ、サイトメガロウイルス、ジフテリア毒素、エプスタインバーＮＡ、エプスタインバーＥＡ、エプスタインバーＶＣＡ、ヘリコバクターピロリ、Ｂ型肝炎ウイルス（ＨＢＶ）コア、Ｂ型肝炎ウイルス（ＨＢＶ）エンベロープ、Ｂ型肝炎ウイルス（ＨＢＶ）表面（Ａｙ）、Ｃ型肝炎ウイルス（ＨＣＶ）コア、Ｃ型肝炎ウイルス（ＨＣＶ）ＮＳ３、Ｃ型肝炎ウイルス（ＨＣＶ）ＮＳ４、Ｃ型肝炎ウイルス（ＨＣＶ）ＮＳ５、Ａ型肝炎、Ｄ型肝炎、Ｅ型肝炎ウイルス（ＨＥＶ）ｏｒｆ２−３ＫＤ、Ｅ型肝炎ウイルス（ＨＥＶ）ｏｒｆ２−６ＫＤ、Ｅ型肝炎ウイルス（ＨＥＶ）ｏｒｆ３−３ＫＤ、ヒト免疫不全ウイルス（ＨＩＶ）−１ｐ２４、ヒト免疫不全ウイルス（ＨＩＶ）−１ｇｐ４１、ヒト免疫不全ウイルス（ＨＩＶ）−１ｇｐ１２０、ヒトパピローマウイルス（ＨＰＶ）、単純ヘルペスウイルスＨＳＶ−１／２、単純ヘルペスウイルスＨＳＶ−１ｇＤ、単純ヘルペスウイルスＨＳＶ−２ｇＧ、ヒトＴ細胞白血病ウイルス（ＨＴＬＶ）−１／２、インフルエンザＡ、インフルエンザＡＨ３Ｎ２、インフルエンザＢ、ドノバンリーシュマニア、ライム病、おたふく風邪、肺炎マイコプラズマ、結核菌、パラインフルエンザ１、パラインフルエンザ２、パラインフルエンザ３、ポリオウイルス、呼吸器合胞体ウイルス（ＲＳＶ）、風疹、麻疹、ストレプトリジンＯ、破傷風毒素、梅毒トレポネーマ１５ｋｄ、梅毒トレポネーマｐ４７、クルーズトリパノソーマ、トキソプラズマ、または水痘帯状疱疹を含む、項目０に記載のシステム。
（項目４）
前記疾病は、微生物、細菌、ウイルス、バクテリア、古細菌、原生動物、原生生物、真菌または微小植物を含む伝染病である、項目０に記載のシステム。
（項目５）
前記ウイルスは、インフルエンザまたはＨＩＶを含む、項目４に記載のシステム。
（項目６）
前記バクテリアはヒト型結核菌を含む、項目４に記載のシステム。
（項目７）
前記原生動物はマラリアを含む、項目４に記載のシステム。
（項目８）
前記疾病は、慢性疾病であるか、または、糖尿病、前糖尿病、インスリン耐性、代謝異常、肥満または心血管疾患を含む状態である、項目０に記載のシステム。
（項目９）
前記静的データベース構成要素は、前記集団中の個人に関する情報を含む、項目１に記載のシステム。
（項目１０）
前記集団中の個人に関する情報は、年齢、人種、性別、場所、遺伝因子、単一ヌクレオチド多型（ＳＮＰ）、家族歴、病歴または治療歴のうち１つ以上を含む、項目９に記載のシステム。
（項目１１）
前記静的データベース構成要素は、前記疾病に関する情報を含む、項目１に記載のシステム。
（項目１２）
前記疾病に関する前記情報は、病原性、伝染性、感染形態、治療有効性、ワクチン有効性、死亡率、回復期間、治療コスト、感染性、感染速度、突然変異率、および過去の大発生のうち１つ以上を含む、項目１１に記載のシステム。
（項目１３）
前記動的データベース構成要素中のデータは、リアルタイムで更新される、項目１に記載のシステム。
（項目１４）
前記動的データベース構成要素中のデータは、前記集団中の個人の病態の表示を含む、項目１に記載のシステム。
（項目１５）
個人の病態の表示は、バイオマーカー、生理学的パラメータまたはこれらの組み合わせの測定によって決定される、項目１４に記載のシステム。
（項目１６）
前記疾病はインフルエンザであり、前記バイオマーカーは、ヘマグルチニンおよび／またはノイラミニダーゼを含む、項目１５に記載のシステム。
（項目１７）
前記ヘマグルチニンは、Ｈ１、Ｈ２、Ｈ３、Ｈ４、Ｈ５、Ｈ６、Ｈ７、Ｈ８、Ｈ９、Ｈ１０、Ｈ１１、Ｈ１２、Ｈ１３、Ｈ１４、Ｈ１５、およびＨ１６からなる群から選択され、前記ノイラミニダーゼは、Ｎ１、Ｎ２、Ｎ３、Ｎ４およびＮ５からなる群から選択される、項目１６に記載のシステム。
（項目１８）
前記ヘマグルチニンはＨ１を含み、前記ノイラミニダーゼはＮ１を含む、項目１７に記載のシステム。
（項目１９）
前記ヘマグルチニンはＨ５を含み、前記ノイラミニダーゼはＮ１を含む、項目１７に記載のシステム。
（項目２０）
前記バイオマーカーはホスト抗体を含む、項目１５に記載のシステム。
（項目２１）
前記バイオマーカーは、疾病マーカーに対するＩｇＭ抗体、ＩｇＧ抗体またはＩｇＡ抗体を含む、項目２０に記載のシステム。
（項目２２）
前記バイオマーカーは、炎症マーカーを含む、項目１５に記載のシステム。
（項目２３）
前記炎症マーカーは、サイトカインまたはＣ反応性タンパクを含む、項目２２に記載のシステム。
（項目２４）
前記炎症マーカーは、ＩＬ−１β、ＩＬ−６、ＩＬ−８、ＩＬ−１０またはＴＮＦαを含む、項目２３に記載のシステム。
（項目２５）
前記バイオマーカーは、前記個人からの体液サンプル中において測定される、。項目１５に記載のシステム。
（項目２６）
前記体液は、血液、血漿、血清、痰、尿、糞便、精液、粘液、リンパ液、唾液または鼻洗浄液を含む、項目２５に記載のシステム。
（項目２７）
前記生理学的パラメータは、体重、体温、心拍、血圧、可動性、水分補給、ＥＣＧまたは飲酒のうち１つ以上を含む、項目１５に記載のシステム。
（項目２８）
前記バイオマーカーまたは生理学的パラメータは、ポイントオブケア機器を用いて決定される、項目１５に記載のシステム。
（項目２９）
前記ポイントオブケア機器は、カートリッジアッセイ、リアルタイムＰＣＲ、迅速抗原検査、ウイルス培養および免疫アッセイのうち１つ以上を行う、項目２８に記載のシステム。
（項目３０）
前記システムは、複数のポイントオブケア機器を含む、項目２８に記載のシステム。
（項目３１）
前記ポイントオブケア機器は、学校、職場、ショッピングセンター、コミュニティセンター、宗教法人、病院、診療所、モバイルユニットまたは家庭のうちの１つ以上に配置される、項目２８に記載のシステム。
（項目３２）
前記ポイントオブケア機器はポータブル器具を含む、項目２８に記載のシステム。
（項目３３）
前記ポイントオブケア機器はポータブルカートリッジを含む、項目２８に記載のシステム。
（項目３４）
前記カートリッジは、バイオマーカーを測定するための試薬を受容するように構成される、項目３３に記載のシステム。
（項目３５）
前記カートリッジは、前記コンピュータモデル化構成要素から通信されたプロトコルに基づいて前記バイオマーカーを測定するように構成される、項目３３に記載のシステム。
（項目３６）
前記カートリッジは、複数の体液サンプルからの１組のバイオマーカーを測定するように構成される、項目２８に記載のシステム。
（項目３７）
前記ポイントオブケア機器は、２つ以上のバイオマーカーの測定を標準的方法よりも３０％を越えてより高い精度および／または精密度で行う、項目２８に記載のシステム。
（項目３８）
前記ポイントオブケア機器は、データを入力するように構成されたグラフィカルユーザインターフェースを含む、項目２８に記載のシステム。
（項目３９）
前記ポイントオブケア機器は、前記バイオマーカーまたは生理学的パラメータ測定結果を前記コンピュータモデル化構成要素へと通信するように構成される、項目２８に記載のシステム。
（項目４０）
前記通信は、無線通信、有線通信、またはこれらの組み合わせである、項目３９に記載のシステム。
（項目４１）
前記無線通信は、ＷｉＦｉ、ブルートゥース、ジグビー、セルラー、衛星、および／またはＷＷＡＮを含む、項目４０に記載のシステム。
（項目４２）
前記通信は、セキュアなインターネット通信を含む、項目３９に記載のシステム。
（項目４３）
前記ポイントオブケア機器は、前記コンピュータモデル化構成要素との双方向通信を行うように構成される、項目２８に記載のシステム。
（項目４４）
前記ポイントオブケア機器は、前記コンピュータモデル化構成要素によって決定された命令に従って配備される、項目２８に記載のシステム。
（項目４５）
更新された動的データが利用可能となった場合、前記モデル化結果がリアルタイムで更新される、項目１に記載のシステム。
（項目４６）
前記コンピュータモデル化構成要素は、医療専門家、政府機関および個々の対象者のうち１つ以上に対して前記モデル化結果を提示するように構成される、項目１に記載のシステム。
（項目４７）
前記コンピュータモデル化構成要素は、前記モデル化結果に基づいて１つ以上の行動指針を予測するように構成される、項目１に記載のシステム。
（項目４８）
前記１つ以上の行動指針は、ランク付けパラメータに従ってランク付けされる、項目４７に記載のシステム。
（項目４９）
前記ランク付けパラメータは、経済的理由、影響を受ける個人の数、質調整生存年（ＱＡＬＹ）および／または経済的損失単位あたりの質調整生存年（ＱＡＬＹ）を含む、項目４８に記載のシステム。
（項目５０）
前記１つ以上の行動指針は、病害拡大を抑制するための戦略を含む、項目４７に記載のシステム。
（項目５１）
前記病害拡大を抑制するための戦略は、家庭内隔離、個人隔離、地理的隔離、社会距離戦略、入院、学校閉鎖、職場閉鎖、旅行制限、公共輸送閉鎖、治療または介入、予防的治療または介入、ワクチン接種、保護衣の提供、マスクの提供、およびさらなるポイントオブケア検査のうち１つ以上を含む、項目５０に記載のシステム。
（項目５２）
前記病害拡大を抑制するための戦略は、有リスクの個人または罹患した個人のための行動修正のためのカウンセリング、複数回のバイオマーカー測定および／または生理学的測定、および前記個人に対する報酬のうち１つ以上を含む、項目５０に記載のシステム。
（項目５３）
前記病害拡大を抑制するための戦略は、患者トリアージ推奨、資源管理、各戦略の有効性期待係数、各戦略のコスト、各戦略における投資リターンのうち１つ以上を含む、項目５０に記載のシステム。
（項目５４）
前記病害拡大を抑制するための戦略は、的を絞った予防、一括予防、的を絞った抗生予防、一括抗生予防、的を絞った抗ウイルス予防、一括抗ウイルス予防、的を絞ったワクチン接種、および一括ワクチン接種のうち１つ以上を含む、項目５０に記載のシステム。
（項目５５）
的を絞った予防またはワクチン接種は、１歳〜４歳の子ども、５歳〜１４歳の子ども、妊婦、１５歳〜３０歳の若者、第一線の医療従事者、高死亡危険性が判明している個人、または高齢の個人に的を絞った予防またはワクチン接種を含む、項目５４に記載のシステム。
（項目５６）
前記コンピュータモデル化構成要素は、前記モデル化結果に基づいて監視戦略を推定するように構成される、項目１に記載のシステム。
（項目５７）
記監視戦略は、個人または個人のグループの疾病状態をポイントオブケア機器を用いて決定するステップを含む、項目５６に記載のシステム。
（項目５８）
疾病に罹患した個人が検出された際、前記監視戦略が更新される、項目５６に記載のシステム。
（項目５９）
前記更新された戦略は、前記疾病に罹患した個人を含む世帯を検査すること、前記疾病に罹患した個人を含む学校を検査すること、および前記疾病に罹患した個人を含む職場を検査することのうち１つ以上を含む、項目５８に記載のシステム。
（項目６０）
前記更新された戦略は、隔離、予防または入院のうち１つ以上を含む、項目５８に記載のシステム。
（項目６１）
前記コンピュータモデル化構成要素は、ユーザにモデル化結果を表示するためのグラフィカルインターフェースを含む、項目１に記載のシステム。
（項目６２）
前記コンピュータモデル化構成要素は、複数の非線形常微分方程式を含む、項目１に記載のシステム。
（項目６３）
前記データの前記モデルは、複数のパラメータを含む、項目１に記載のシステム。
（項目６４）
前記コンピュータモデル化構成要素は、前記静的データおよび／または動的データが更新された際、前記複数のパラメータを更新する学習機械を含む、項目６３に記載のシステム。
（項目６５）
前記データのモデルは、複数の状態を含む、項目１に記載のシステム。
（項目６６）
前記複数の状態は、感染しやすい個人、早期に曝露された個人、後期に曝露された個人、早期に感染した個人、後期に感染した個人、回復した個人、感染および／または関連する合併症に起因して死亡した個人、無症状の個人、治療が施された個人、治療が施されかつ隔離された個人、予防的治療が施された個人、ワクチン投与された個人、ワクチン接種によって保護された個人、早期に感染した個人のうち入院した個人、後期に感染した個人のうち入院した個人、感染しやすい個人のうち家庭内隔離された個人、早期に曝露された個人のうち家庭内隔離された個人、後期に曝露された個人のうち家庭内隔離された個人、早期に感染した個人のうち家庭内隔離された個人、後期に感染した個人のうち家庭内隔離された個人、無症状の個人のうち家庭内隔離された個人、感染しやすい個人のうち近隣全体単位で隔離された個人、早期に曝露された個人のうち近隣全体単位で隔離された個人、後期に曝露された個人のうち近隣全体単位で隔離された個人、早期に感染した個人のうち近隣全体単位で隔離された個人、後期に感染した個人のうち近隣全体単位で隔離された個人、無症状の個人のうち近隣全体単位で隔離された個人、利用可能な治療薬剤の投与量、前記目標集団に対して利用可能な抗ウイルス剤および／または抗生剤の量、ワクチン投与されかつ家庭内隔離された個人、家庭内隔離されかつワクチン接種によって保護された個人、家庭内隔離されかつ回復した個人、感染しやすい個人のうち軽減方針アクションが割り当てられた個人、早期に曝露された個人のうち軽減方針アクションが割り当てられた個人、後期に曝露された個人のうち軽減方針アクションが割り当てられた個人、無症状の個人のうち軽減方針アクションが割り当てられた個人、早期に感染した個人のうち軽減方針アクションが割り当てられた個人、後期に感染した個人のうち軽減方針アクションが割り当てられた個人、予防治療が施された個人のうち軽減方針アクションが割り当てられた個人、ワクチン投与された個人のうち軽減方針アクションが割り当てられた個人、保護された個人のうち軽減方針アクションが割り当てられた個人、回復した個人のうち軽減方針アクションが割り当てられた個人、感染しやすい個人のうち治療が割り当てられた個人、早期に曝露された個人のうち治療が割り当てられた個人、後期に曝露された個人のうち治療が割り当てられた個人、無症状の個人のうち治療が割り当てられた個人、早期に感染した個人のうち治療が割り当てられた個人、後期に感染した個人のうち治療が割り当てられた個人、感染しやすい個人のうち監視が割り当てられた個人、早期に曝露された個人のうち監視が割り当てられた個人、後期に曝露された個人のうち監視が割り当てられた個人、無症状の個人のうち監視が割り当てられた個人、早期に感染した個人のうち監視が割り当てられた個人、後期に感染した個人のうち監視が割り当てられた個人、予防対象となる個人のうち監視が割り当てられた個人、ワクチン投与された個人のうち監視が割り当てられた個人、保護された個人のうち監視が割り当てられた個人、近隣全体隔離内の感染しやすい個人のうち軽減方針アクションが割り当てられた個人、近隣全体隔離内の早期に曝露された個人のうち軽減方針アクションが割り当てられた個人、近隣全体隔離内の後期に曝露された個人のうち軽減方針アクションが割り当てられた個人、近隣全体隔離内の無症状の個人のうち軽減方針アクションが割り当てられた個人、近隣全体隔離内の早期に感染した個人のうち軽減方針アクションが割り当てられた個人、近隣全体隔離内の後期に感染した個人のうち軽減方針アクションが割り当てられた個人、近隣全体隔離内の予防治療が施された個人のうち軽減方針アクションが割り当てられた個人、治療投与量の累積数、投与された抗ウイルス剤および／または抗生剤の累積数、家庭内隔離された無症状の個人の累積数、家庭内隔離されかつ症状を示す個人の累積数、感染した個人の合計累積数、感染した個人のうち隔離されていない個人の累積数、感染した個人のうち何らかの措置がとられた個人の累積数、入院した個人の累積数、および死亡累積数のうち１つ以上を含む、
項目６５に記載のシステム。
（項目６７）
集団内におけるインフルエンザの流行を抑制するシステムであって、
（ａ）前記インフルエンザおよび／または前記集団に関連する静的データを含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内の前記インフルエンザの発生をモデル化するように構成されたコンピュータモデル化構成要素と、
を含む、システム。
（項目６８）
集団内におけるヒト免疫不全ウイルス（ＨＩＶ）の流行を抑制するためのシステムであって、
（ａ）前記ＨＩＶおよび／または前記集団に関連する静的データを含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内における前記ＨＩＶの発生をモデル化するように構成されたコンピュータモデル化構成要素と、
を含む、システム。
（項目６９）
集団内における肝炎の流行を抑制するためのシステムであって、
（ａ）前記肝炎および／または前記集団に関連する静的データを含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内における前記肝炎の発生をモデル化するように構成されたコンピュータモデル化構成要素と、
を含む、システム。
（項目７０）
集団内における糖尿病の拡散を抑制するためのシステムであって、
（ａ）前記糖尿病に関連する静的データおよび／または前記集団を含む静的データベース構成要素と、
（ｂ）前記集団に関する動的データを含む動的データベース構成要素と、
（ｃ）前記静的データベース構成要素および前記動的データベース構成要素中の前記データをモデル化することで、前記集団内における前記糖尿病の発生をモデル化するように構成されたコンピュータモデル化構成要素と、
を含む、システム。